(57)【要約】      （修正有）【課題】ハードディスク・ドライブまたは光ディスク・ドライブのようなデータアクセス装置を電子製品に適合させることができ、迅速におよび都合よく組み立ておよび分解されることができるデータアクセス装置の固定サポートの改良された構造を提供する。【解決手段】フレーム本体の上面は、データアクセス装置を支持するために使われ、さらに、複数の脚ベースがフレーム本体の上面を上方へ支持する。脚ベース上には複数の大きな孔を設け、各々の大きな孔の端には同じ方向を向いた小さな孔が形成される。各々のベース・ポストが、各々の大きな孔に対面し、ケーシング、ベース本体、電子製品の上部壁または側壁に固定する。各々のベース・ポストの上部にはキャップ・ヘッドが形成される。各々のキャップ・ヘッドとそのベース・ポストとの間で、環状溝が形成される。上記の配置により、各々のキャップ・ヘッドは対応する大きな孔を通過し、各環状溝に小さな孔を固定することができる。【選択図】図１
0003123523.tif 000002
【実用新案登録請求の範囲】
【請求項１】
ベースに固定するようにデータアクセス装置を支持するデータアクセス装置の固定サポートであって、その上面で前記データアクセス装置を支持し、フレーム本体の前記上面を上方へ支持する複数の脚ベースを有し、前記脚ベースは複数の大きな孔を備え、前記大きな孔の各々の端は同じ方向を向く小さな孔で形成され、各々の小さな孔は、関連する大きな孔と連通するフレーム本体；前記脚ベースの１つの大きな孔に面し、前記ベースに固定的に提供される第１のベース・ポストであって、位置決め孔を備えた第１のベース・ポスト；および、前記脚ベースの残りの大きな孔に面し、前記ベースに固定的に提供される複数の第２のベース・ポストであって、第２のベース・ポストの各々は、キャップ・ヘッド、各々のキャップ・ヘッドと関連する第２のベース・ポストとの間で形成される環状溝を備える第２のベース・ポストからなり、そこにおいて、各々のキャップ・ヘッドは、着脱可能に前記位置決め孔上の固定部分を提供するように、前記環状溝に各々の小さな孔を固定するために前記関連する大きな孔を貫通し、前記固定部分は、前記位置決め孔と連結する前記第１のベース・ポストに対応する前記小さな孔を貫通する固定サポート。
【請求項２】
請求項１に記載のデータアクセス装置の固定サポートであって、前記フレームの前記上面は上方へ当接させるための第１の弾性材料の押圧部分を備える固定サポート。
【請求項３】
請求項２に記載のデータアクセス装置の固定サポートであって、前記脚ベースは下方へ当接させるための第２の弾性材料の押圧部分を備える固定サポート。
【請求項４】
請求項１に記載のデータアクセス装置の固定サポートであって、前記フレーム本体の一方が停止壁を形成するため上方へ湾曲され、複数の挿入部分は前記停止壁から突設し、および各々の挿入部分が前記データアクセス装置の係止孔に挿入するために使われる固定サポート。
【請求項５】
請求項１に記載のデータアクセス装置の固定サポートであって、前記脚ベースが『Ｌ』形状で作成され、前記『Ｌ』形状の直立セクションが前記フレーム本体の前記上面の側から延長し、前記『Ｌ』形状の底部セクションが前記大きな孔を備える固定サポート。
【請求項６】
請求項１に記載のデータアクセス装置の固定サポートであって、前記第１のベース・ポストの前記位置決め孔はネジ穴であり、前記固定部分はネジである固定サポート。
【請求項７】
請求項１に記載のデータアクセス装置の固定サポートであって、前記固定部分は弾性材料の部分であり、前記固定部分の一端は前記ベースに固定的に提供され、その他の端部は前記位置決め孔に対応し、その中に貫通するために下方へ突設する突設ポストを備える固定サポート。
【請求項８】
ベースに固定するようにデータアクセス装置を支持するデータアクセス装置の固定サポートであって、その上面で前記データアクセス装置を支持し、フレーム本体の前記上面を上方へ支持する複数の脚ベースを有し、前記脚ベースは複数の大きな孔を備え、前記大きな孔の各々の端は同じ方向を向く小さな孔で形成され、各々の小さな孔は、関連する大きな孔と連通するフレーム本体；および、それぞれ前記大きな孔に面し、前記ベースに固定的に提供される複数のベース・ポストであって、キャップ・ヘッド、各々のキャップ・ヘッドと関連するベース・ポストとの間で形成される環状溝を備える前記ベース・ポストからなり、そこにおいて、各々のキャップ・ヘッドは、前記環状溝に各々の小さな孔を固定するために前記関連する大きな孔を貫通する固定サポート。
【請求項９】
請求項８に記載のデータアクセス装置の固定サポートであって、前記フレームの前記上面は上方へ当接させるための第１の弾性材料の押圧部分を備える固定サポート。
【請求項１０】
請求項９に記載のデータアクセス装置の固定サポートであって、前記脚ベースは下方へ当接させるための第２の弾性材料の押圧部分を備える固定サポート。
【請求項１１】
請求項８に記載のデータアクセス装置の固定サポートであって、前記フレーム本体の一方が停止壁を形成するため上方へ湾曲され、複数の挿入部分は前記停止壁から突設し、および各々の挿入部分が前記データアクセス装置の係止孔に挿入するために使われる固定サポート。
【請求項１２】
請求項８に記載のデータアクセス装置の固定サポートであって、前記脚ベースが『Ｌ』形状で作成され、前記『Ｌ』形状の直立セクションが前記フレーム本体の前記上面の側から延長し、前記『Ｌ』形状の底部セクションが前記大きな孔を備える固定サポート。
【考案の詳細な説明】
【技術分野】
【０００１】
本発明は、ハードディスク・ドライブまたは光ディスク・ドライブのようなデータアクセス装置を電子製品に適合させることができ、迅速におよび都合よく組み立ておよび分解されることができるデータアクセス装置の固定サポートの改良された構造に関する。
【背景技術】
【０００２】
電子技術産業の急速な発展により、過去にコンピュータに適用されていたデータアクセス装置（例えばハードディスク・ドライブおよび光ディスク・ドライブのような）は、最近マルチメディア音声／ビデオ・プレーヤのような他の関連した電子製品に広く使用されるようになっている。このような種類のマルチメディア音声／ビデオ・プレーヤは高度に効率的なデータ記憶媒体によって音声／ビデオ情報を提供するので、マルチメディア音声／ビデオ・プレーヤ内で配置されるデータアクセス装置（例えばハードディスク・ドライブまたは光ディスク・ドライブ）は、したがってきわめて重要である。今日では、上記の装置およびその固定サポートは、大部分はボルトによって固定される。場合によっては、固定サポートは、このような装置のケーシングのフレームに直接溶接され、したがって分解されることができない。結果として、将来における製品の修復および更新はより不都合になる。製造の大部分において直面する最大の問題は、型のコストを節約する必要条件に適合しない組み立てる際の時間の消費である。
【０００３】
上記を鑑みて、発明者は専門家の経験および慎重な調査に基づいて上記の問題を解決するために本発明を提案する。
【考案の開示】
【０００４】
本発明は、迅速におよび都合よくハードディスク・ドライブまたは光ディスク・ドライブのようなデータアクセス装置を電子製品に適合させることができ、迅速におよび都合よく組み立てられ分解されることができるデータアクセス装置の固定サポートの改良された構造を提供することである。さらに本発明は、ネジの量を削減することで設計の時間、型のコストを節約することができる。
【０００５】
本発明はさらに、固定サポートとデータアクセス装置との間、および、固定サポートとケーシング、基部本体、電子製品の上部壁または側壁との間に弾性材料の振動減衰メカニズムが提供されるデータアクセス装置の固定サポートの改良された構造を提供する。それゆえに、上記目的を達成するため、二重層の振動減衰効果もまた達成されることができる。
【０００６】
したがって、本発明は、フレーム本体と複数のベース・ポストとを備えるデータアクセス装置の固定サポートの改良された構造を提供する。フレーム本体の上面は、データアクセス装置を支持するために使われる。さらに、複数の脚ベースがフレーム本体の上面を上方へ支持するために提供される。脚ベース上には複数の大きな孔が提供される。各々の大きな孔の端には同じ方向を向いた小さな孔が形成される。各々のベース・ポストが、各々の大きな孔に対面し、ケーシング、ベース本体、電子製品の上部壁または側壁に固定された状態で提供される。各々のベース・ポストの上部にはキャップ・ヘッドが形成される。各々のキャップ・ヘッドとそのベース・ポストとの間で、環状溝が形成される。上記の配置により、各々のキャップ・ヘッドは対応する大きな孔を通過し、各環状溝に小さな孔を固定することができる。
【０００７】
新規であると考えられる本発明の特徴は、添付の請求の範囲において特に記載される。発明自体は、しかしながら、発明の特定の例示的な実施例を記載する以下の発明の詳細な説明を参照することにより、添付の図面とともによく理解される。
【考案の詳細な説明】
【０００８】
本発明の特性および技術的な内容をよりよく審査官に理解させるために、本発明に関する詳細な説明は、添付の図面に関して作成される。しかしながら、その図面が単に本発明を図示する意図を有し、範囲を制限するために用いられるのもではないと理解されるべきである。
【０００９】
図１および図２は、本発明がベースに配置されたものを示す展開斜視図および組立斜視図である。本発明は、データアクセス装置の固定サポートの改良された構造を提供する。固定サポート１は、その上にあるデータアクセス装置３を支持し、ベース２上にデータアクセス装置３を固定するために使われる。データアクセス装置３は、ハードディスク・ドライブ、光ディスク・ドライブ等であってもよい。ベース２は、データアクセス装置３の位置を固定するためのケーシング、シート本体、共通の電子製品の上部壁または側壁であってもよい。固定サポート１は、フレーム本体１０、第１のベース・ポスト２０、および、複数の第２のベース・ポスト２１からなる。
【００１０】
フレーム本体１０は、金属プレートの押圧または屈曲によって作成されることができる。図３および図４に関して、形成されたフレーム本体１０は、その側から下方へ曲がっている脚ベース１１の少なくとも１つの対を有する。脚ベース１１の横断面は、フレーム本体１０の上面を適当な高さに上方へ支持するために『Ｌ』形状で形成されることができる。データアクセス装置は、フレーム本体１０の上面に強固に配置される（図４参照）。フレーム本体１０の上面に、第１の弾性材料の押圧部分１００は、上方へ寄りかかるように提供される。フレーム本体１０の上面にデータアクセス装置３が水平に配置される場合、弾性材料の押圧部分１００は、データアクセス装置３の底面に対して当接し、したがって振動を減らすための適当な弾性力を提供する。さらに、係止孔３０を有するデータアクセス装置３の側に対して当接させるため、フレーム本体１０の一方は、停止壁１２を形成するために上方へ湾曲される。複数の挿入部分１２０は、係止孔３０に対応して停止壁１２から突設する。各々の挿入部分１２０は、フレーム本体１０上にデータアクセス装置３を固定するため、データアクセス装置３の各々の係止孔３０にちょうど挿入されるための短いピン状に作成される。
【００１１】
上記によれば、『Ｌ字状の』脚ベース１１の直立したセクションは、フレーム本体１０の上面の側から延長し、『Ｌ字状の』脚ベース１１の底部セクションは、複数の大きな孔１１０を備える。各々の大きな孔の端１１０は、同じ側の方へ面している小さな孔１１１で形成される（図５参照）。さらに、各々の小さな孔１１１は、関連する大きな孔１１０と連通している。加えて、脚ベース１１は、第２の弾性材料の押圧部分１１２を下方へ当接するために備える。固定サポート１がベース２に水平に配置されている場合、弾性材料の押圧部分１１２は、振動を減らすため適当な弾性材料を提供するように、ベース２の表面に対して当接する。
【００１２】
また図１および図２に関して、第１のベース・ポスト２０および第２のベース・ポスト２１はそれぞれベース２に固定的に提供される。各々のベース・ポスト２０または２１は、脚ベース１１の各々の大きな孔１１０に面する。第１のベース・ポスト２０は、位置決め孔２００を備える。ネジのような固定部分２２が第１のベース・ポスト２０にねじ込まれることができるように、位置決め孔２００はネジ穴であってもよい。他方では、各々の残っている第２のベース・ポスト２１の上端部は、キャップ・ヘッド２１０を備える。環状溝２１１は、キャップ・ヘッド２１０と関連する第２のベース・ポスト２１との間で形成される。
【００１３】
上記の構造を有して、データアクセス装置の固定サポートの改良された構造は完成することができる。
【００１４】
図１および図５に関して、固定サポート１がベース２に組み立てられる場合、第２のベース・ポスト２１のキャップ・ヘッド２１０は、対応する大きな孔１１０を貫通するので、各々の小さな孔１１１は、関連する環状溝２１１と整列配置することができる。その後で、フレーム本体１０は一方の側へさらに押されることにより、図６に示されるように、各々の小さな孔１１１は環状溝２１１に係止され、それに固定される。それゆえに、急速な組み立てまたは分解を達成することができる。さらに、本発明の構造は、設計の時間および型のコストを節約することができる。
【００１５】
さらに図７に示されるように、組み立てる際のより良好な安定性を提供するため、少なくとも１つの第１のベース・ポスト２０は、ベース・ポスト２０または２１として役立つように用いることができる。
【００１６】
すなわち、ネジのような固定部分２２を使用することにより安定した連結を提供することが不必要である場合、すべてのベース・ポストは、第２のベース・ポスト２１になることができる。しかしながら、より安定した組み立てが必要とされる場合、ベース・ポストのうちの少なくとも１つは、第１のベース・ポスト２０および関連した固定部分２２を採用しなければならない。それゆえに、固定部分２２を第１のベース・ポスト２０の位置決め孔２００にねじ込むことによって、安定した組み立てが達成されることができる。１つの固定部分２２のみが使われ、固定部分は通常ネジであるので、ネジの量を大幅に削減できる。
【００１７】
さらに図８に示されるように、それはベースに配置されている本発明の他の実施例の固定部分を示す側面の断面図である。固定部分２２は、弾性材料部分で作成することができる。固定部分の一端は、他のネジ２２０によってベース２にねじ込まれ、その他の端部は、第１のベース・ポスト２０の位置決め孔２００に対応するために下方へ突設し、その中を貫通する突設ポスト２２１を備える。このようにして安定した組み立てが達成される。もちろん、固定部分２２および位置決め孔２００は、同じ効果を達成するために着脱可能に提供されることができる。
【００１８】
上記によれば、本発明は確かに所望の効果を達成し、上記の構造を採用することによって、従来技術の欠点を克服する。それゆえに、本発明は、新規性および進歩性を含み、実用新案特許のための必要条件に適合する。
【００１９】
本発明が前述の好適な実施例に関して記載されたにもかかわらず、発明がその詳細に制限されないと理解される。様々な同等の変種および修正は、本発明の教示を考慮して当業者により生成されることができる。したがって、このような同等の変種および修正はまた、添付の請求の範囲に記載の発明の範囲内で受け入れられる。
【図面の簡単な説明】
【００２０】
【図１】本発明がベースに配置されていることを示す展開斜視図である。
【図２】本発明がベースに配置されていることを示す組立斜視図である。
【図３】本発明のフレーム本体の外側の外観を示す斜視図である。
【図４】本発明のフレーム本体およびデータアクセス装置の組立図である。
【図５】本発明を組み立てる前の動作を示す略図である。
【図６】本発明を組み立てた後の動作を示す略図である。
【図７】本発明がベースに配置されていることを示す側面の断面図である。
【図８】本発明の他の実施例の固定サポートがベースに配置されていることを示す側面の断面図である。
【図１】
0003123523.tif 000003
【図２】
0003123523.tif 000004
【図３】
0003123523.tif 000005
【図４】
0003123523.tif 000006
【図５】
0003123523.tif 000007
【図６】
0003123523.tif 000008
【図７】
0003123523.tif 000009
【図８】
0003123523.tif 000010